(57)【特許請求の範囲】
【請求項１】
液滴吐出ヘッドと、
記録紙を搬送する搬送部と、
前記搬送部で前記記録紙を搬送する搬送方向および前記搬送方向と直交する幅方向に配設された吸引孔を複数有し、前記液滴吐出ヘッドに対峙するプラテンと、
前記プラテンの前記吸引孔から前記記録紙を吸引する吸引機構部と、
複数の前記吸引孔の少なくとも一部を開放もしくは閉鎖する開閉機構と、
前記搬送方向に配設された複数の前記吸引孔と連通する気室と、
前記気室と前記吸引機構部とを接続する通路と、
前記通路に配設されて前記通路を開閉する弁と、
を備え、
前記開閉機構は、複数の前記吸引孔のうち、前記幅方向の一方側に配設された吸引孔を開放または閉鎖させる第１の開閉部と、
複数の前記吸引孔のうち、前記搬送方向の一方側に配設された吸引孔を開放または閉鎖させる第２の開閉部と、を有し、
前記第１の開閉部は、前記記録紙の前記幅方向の寸法に基づいて、前記弁により前記通路を開閉させて、前記吸引孔を開放もしくは閉鎖させることを特徴とする印刷装置。
【請求項２】
前記開閉機構は、前記記録紙により覆われる位置に配設される前記吸引孔を開放し、前記記録紙により覆われない位置に配設される前記吸引孔を閉鎖する請求項１に記載の印刷装置。
【請求項３】
前記開閉機構は、前記搬送部で前記記録紙が搬送されて前記吸引孔を前記記録紙により覆われたときに前記吸引孔を開放し、前記搬送部で前記記録紙が搬送されて前記吸引孔を前記記録紙により覆われなくなったとき、前記吸引孔を閉鎖する請求項１に記載の印刷装置。
【請求項４】
前記第２の開閉部は、前記搬送部による前記記録紙の搬送位置に基づいて前記吸引孔を開放もしくは閉鎖させる請求項１に記載の印刷装置。
【請求項５】
前記第２の開閉部は、複数の前記吸引孔のうち、前記搬送方向の一方側と逆方向の他方側に配設された吸引孔を開放または閉鎖させる請求項１に記載の印刷装置。
【請求項６】
前記第２の開閉部は、前記搬送方向の一方側に配設された吸引孔を開放または閉鎖する第１のシャッタープレートと、
前記搬送方向の他方側に配設された吸引孔を開放または閉鎖する第２のシャッタープレートと、
を有する請求項５に記載の印刷装置。
【請求項７】
前記記録紙の前記幅方向の寸法を検出する紙幅検出部を有し、
前記第１の開閉部は、前記紙幅検出部による検出結果に基づいて、前記吸引孔を開放または閉鎖させる請求項１に記載の印刷装置。
【請求項８】
前記第１の開閉部は、複数の前記吸引孔のうち、前記幅方向の一方側と逆方向の他方側に配設された吸引孔を開放または閉鎖させる請求項１に記載の印刷装置。
【請求項９】
前記第２の開閉部は、前記搬送部による前記記録紙の搬送速度と、複数の前記吸引孔の前記記録紙の搬送方向の間の距離と、を用いて算出された算出結果に基づいて、前記吸引孔を開放もしくは閉鎖させる請求項１に記載の印刷装置。
【請求項１０】
前記第１のシャッタープレートおよび前記第２のシャッタープレートを駆動させるカムを有する請求項６に記載の印刷装置。
【請求項１１】
前記カムは、予め設定された前記吸引孔の開放もしくは閉鎖のタイミングに同期した位相を有する請求項１０に記載の印刷装置。
【請求項１２】
記録紙を搬送する搬送方向および前記搬送方向と直交する幅方向に配設された吸引孔を複数有し、前記液滴吐出ヘッドに対峙するプラテンと、
前記プラテンの前記吸引孔から前記記録紙を吸引する吸引機構部と、
複数の前記吸引孔の少なくとも一部を開放もしくは閉鎖する開閉機構と、
前記搬送方向に配設された複数の前記吸引孔と連通する気室と、
前記気室と前記吸引機構部とを接続する通路と、
前記通路に配設されて前記通路を開閉する弁と、
を備え、
前記開閉機構は、複数の前記吸引孔のうち、前記幅方向の一方側に配設された吸引孔を開放または閉鎖させる第１の開閉部と、
複数の前記吸引孔のうち、前記搬送方向の一方側に配設された吸引孔を開放または閉鎖させる第２の開閉部と、を有し、
前記第１の開閉部は、前記記録紙の前記幅方向の寸法に基づいて、前記弁により前記通路を開閉させて、前記吸引孔を開放もしくは閉鎖させることを特徴とする記録紙搬送機構。
【請求項１３】
前記開閉機構は、前記記録紙により覆われる位置に配設される前記吸引孔を開放し、前記記録紙により覆われない位置に配設される前記吸引孔を閉鎖する請求項１２に記載の記録紙搬送機構。
【請求項１４】
前記開閉機構は、前記搬送部で前記記録紙が搬送されて前記吸引孔を前記記録紙により覆われたときに前記吸引孔を開放し、前記搬送部で前記記録紙が搬送されて前記吸引孔を前記記録紙により覆われなくなったとき、前記吸引孔を閉鎖する請求項１２に記載の記録紙搬送機構。
【請求項１５】
前記記録紙の前記幅方向の寸法を検出する紙幅検出部を有し、
前記第１の開閉部は、前記紙幅検出部による検出結果に基づいて、前記吸引孔を開放または閉鎖させる請求項１２に記載の記録紙搬送機構。
【発明の詳細な説明】
【技術分野】
【０００１】
本発明は、印刷装置に関する。
【背景技術】
【０００２】
インク吐出ヘッドからインク液滴を吐出して記録紙に印刷するプリンターでは、記録紙に対する印刷位置を規定するプラテン面に記録紙を密着させてプラテンギャップを高精度に確保することが、印刷品質確保の観点から重要であった。このような場合、プラテン面に記録紙を密着させて搬送するために、記録紙をプラテン面に空気吸引しながら搬送する吸引プラテンが用いられる。このような場合、吸引圧が低ければ記録紙が浮いてしまい印刷品質が劣化することや、インク吐出ヘッドに記録紙が擦れてしまいインク汚れが発生するという問題があった。
【０００３】
そこで、プラテンの記録紙搬送方向と直交する幅方向のほぼ中央に、格子状に区画された第１吸引領域を設け、この第１吸引領域における格子状区画室の底部が第１吸引孔となっており、第１吸引領域の両側には、第１吸引領域における第１吸引孔とは異なる配置あるいは形状の第２吸引孔が形成された第２吸引領域を設け、第１吸引領域では主として幅が狭い記録紙の吸引、第１吸引領域と第２吸引領域の両方で幅が広い記録紙の吸引を行うプリンターが知られている（例えば、特許文献１参照）。
【０００４】
また、プラテンに、複数の吸引孔を記録紙の搬送方向と幅方向に整列配置し、これら吸引孔を臨む気室と、気室内の空気を吸引する吸引手段とを備え、気室は記録紙の搬送方向と交差する方向とに２つ以上配置され、少なくとも一つの気室には一つの吸引手段が接続され、他の気室にも少なくとも一つの吸引手段が接続されており、記録紙が吸引孔と交差する領域の吸引手段のデューティと、交差しない領域の吸引手段のデューティとを切り換えるプリンターが知られている（例えば、特許文献２参照）。
【先行技術文献】
【特許文献】
【０００５】
【特許文献１】特開２０１０−２０１６８３号公報
【特許文献２】特開２０１１−５６６９４号公報
【発明の概要】
【発明が解決しようとする課題】
【０００６】
上述した特許文献１や特許文献２では、例えば、幅が狭い記録紙を用いる場合においても記録紙の外側にある吸引孔を開放し空気吸引をしているため、吸引圧を損失するので十分な吸引圧が得られない。特に、こしが強い記録紙を用いる場合記録紙が浮いてしまい印刷品質が劣化することや、インク吐出ヘッドに記録紙が擦れてしまいインク汚れが発生するという課題がある。
【０００７】
また、特許文献２では、吸引対象の気室に吸引手段を設けると共に、他の気室にも吸引手段を設けており構造面で複雑になってしまうことや、複数の吸引手段のデューティを切り換えていることによって制御面でも複雑になってしまうという課題を有している。
【課題を解決するための手段】
【０００８】
本発明は、上述の課題の少なくとも一部を解決するためになされたものであり、以下の形態または適用例として実現することが可能である。
【０００９】
本発明に係る印刷装置は、液滴吐出ヘッドと、記録紙を搬送する搬送部と、前記搬送部で前記記録紙を搬送する搬送方向および前記搬送方向と直交する幅方向に配設された吸引孔を複数有し、前記液滴吐出ヘッドに対峙するプラテンと、前記プラテンの前記吸引孔から前記記録紙を吸引する吸引機構部と、複数の前記吸引孔の少なくとも一部を開放もしくは閉鎖する開閉機構と、前記搬送方向に配設された複数の前記吸引孔と連通する気室と、前記気室と前記吸引機構部とを接続する通路と、前記通路に配設されて前記通路を開閉する弁と、を備え、前記開閉機構は、複数の前記吸引孔のうち、前記幅方向の一方側に配設された吸引孔を開放または閉鎖させる第１の開閉部と、複数の前記吸引孔のうち、前記搬送方向の一方側に配設された吸引孔を開放または閉鎖させる第２の開閉部と、を有し、前記第１の開閉部は、前記記録紙の前記幅方向の寸法に基づいて、前記通路を前記弁により開閉させて、前記吸引孔を開放もしくは閉鎖させることを特徴とする。
ここで、前記開閉機構は、前記記録紙により覆われる位置に配設される前記吸引孔を開放し、前記記録紙により覆われない位置に配設される前記吸引孔を閉鎖することが好ましい。
また、前記開閉機構は、前記搬送部で前記記録紙が搬送されて前記吸引孔を前記記録紙により覆われたときに前記吸引孔を開放し、前記搬送部で前記記録紙が搬送されて前記吸引孔を前記記録紙により覆われなくなったとき、前記吸引孔を閉鎖することが好ましい。
【００１０】
本発明によれば、記録紙によって吸引孔が全て覆われる領域において、吸引孔を開閉機構によって開放してプラテン表面に記録紙を吸引し、記録紙によって覆われない領域（つまり、吸引孔の一部または全部が開口している領域）では、開閉機構によって吸引孔を閉鎖し記録紙に対し、吸引圧を発生させない。
【００１１】
このようにすることで、例えば、幅が狭い記録紙またはこしが強い記録紙を用いる場合にも、記録紙によって覆われた吸引孔のみから記録紙を吸引することにより吸引圧の損失を抑制し、十分な吸引圧が得られる。従って、記録紙がプラテンから浮くことに起因する印刷品質の劣化や、液滴吐出ヘッドに記録紙が擦れることによって発生するインク汚れを防止することができる。
【００１２】
また、吸引孔の開閉は、開閉機構によって行い、記録紙の吸引は一つの吸引機構部で行うことができることから、特許文献２のように複数の吸引手段や、吸引手段毎に、デューティを切り換えることも必要なく、構造面および制御面でも簡素化することができる。
【００１３】
さらに、印字領域は記録紙が吸引されている範囲にあって、印字領域の直近の記録紙によって覆われていない吸引孔からは吸引しないため、液滴の飛行曲がりを低減し、印刷品質を確保することができるという効果がある。このことは、記録紙の幅方向の余白余裕を小さくすることができるという効果もある。
【００１５】
このようにすれば、第１の開閉部では、記録紙の幅寸法に対応して開閉する吸引孔を選択することにより、例えば、幅が狭い記録紙を用いる場合には記録紙の幅中央領域を吸引し、幅が広い記録紙を用いる場合には、さらに幅方向外側の記録紙範囲内の吸引孔を吸引することで、記録紙の幅に応じて吸引することができる。
【００１６】
また、第２の開閉部では、記録紙の搬送（正送りと逆送りを含む）位置に応じて、記録紙によって覆われた吸引孔を開放して記録紙を吸引することができる。
【００１８】
ここで、上記の「搬送方向に配設された複数の前記吸引孔と連通する気室」とは、複数の吸引孔が搬送方向に配列されたものを吸引孔の縦列とすれば、この縦列が幅方向に複数列設けられ、この縦列毎に気室が設けられていることを意味する。
よって、第１の開閉部では、記録紙の幅に合わせて吸引領域の制御を行うことができる。
【００１９】
また、本発明に係る印刷装置において、前記第２の開閉部は、前記搬送部による前記記録紙の搬送位置に基づいて前記吸引孔を開放もしくは閉鎖させることが好ましい。
【００２０】
第２の開閉部では、記録紙の搬送に合わせて横列毎の吸引領域を決定することができる。
【００２１】
また、本発明に係る印刷装置において、前記第２の開閉部は、複数の前記吸引孔のうち、前記搬送方向の一方側と逆方向の他方側に配設された吸引孔を開放または閉鎖させることが好ましい。
また、前記第２の開閉部は、前記搬送方向に一方側に配設された吸引孔を開放または閉鎖する第１のシャッタープレートと、前記搬送方向の他方側に配設された吸引孔を開放または閉鎖する第２のシャッタープレートと、を有することが好ましい。
【００２２】
また、本発明に係る印刷装置において、前記記録紙の前記幅方向の寸法を検出する紙幅検出部を有し、前記第１の開閉部は、前記紙幅検出部による検出結果に基づいて、前記吸引孔を開放または閉鎖させることが好ましい。
また、前記第１の開閉部は、複数の前記吸引孔のうち、前記幅方向の一方側と逆方向の他方側に配設された吸引孔を開放または閉鎖することが好ましい。
【００２３】
本発明によれば、記録紙をプラテン上部に搬送したときに記録紙の幅寸法を検出（測定）し、この幅寸法に合わせて吸引孔の開閉を決定するため、記録紙の幅に合わせて容易に幅方向の吸引領域を決定できる。
【００２４】
また、本発明に係る印刷装置において、前記第２の開閉部は、前記搬送部による前記記録紙の搬送速度と、複数の前記吸引孔の前記記録紙の搬送方向の間の距離と、を用いて算出された算出結果に基づいて、前記吸引孔を開放もしくは閉鎖させることが好ましい。
【００２５】
本発明によれば、記録紙の吸引孔に対する位置を決定することができ、吸引孔の開閉を適切なタイミングで行うことができる。また、記録紙の搬送位置と開閉タイミングを合わせるために、記録紙の搬送途中の先端位置を検出するセンサー等の検出手段を備えることを必要としないという利点がある。
【００２６】
また、本発明に係る印刷装置において、前記第１のシャッタープレートおよび前記第２のシャッタープレートを駆動させるカムを有することが好ましい。
また、前記カムは、予め設定された前記吸引孔の開放もしくは閉鎖のタイミングに同期した位相を有することが好ましい。
【００２７】
記録紙の搬送速度とカムの駆動とは、それぞれの駆動源としてモーターを用いた場合に速度制御が容易に行える。カムの位相は構造的に固定できるため、吸引孔の開閉タイミングを高精度に制御することができる。
【００２８】
また、本発明の記録紙搬送機構によれば、記録紙を搬送する搬送方向および前記搬送方向と直交する幅方向に配設された吸引孔を複数有し、前記液滴吐出ヘッドに対峙するプラテンと、前記プラテンの前記吸引孔から前記記録紙を吸引する吸引機構部と、複数の前記吸引孔の少なくとも一部を開放もしくは閉鎖する開閉機構と、前記搬送方向に配設された複数の前記吸引孔と連通する気室と、前記気室と前記吸引機構部とを接続する通路と、前記通路に配設されて前記通路を開閉する弁と、を備え、前記開閉機構は、複数の前記吸引孔のうち、前記幅方向の一方側に配設された吸引孔を開放または閉鎖させる第１の開閉部と、複数の前記吸引孔のうち、前記搬送方向の一方側に配設された吸引孔を開放または閉鎖させる第２の開閉部と、を有し、前記第１の開閉部は、前記記録紙の前記幅方向の寸法に基づいて、前記通路を前記弁により開閉させて、前記吸引孔を開放もしくは閉鎖させることを特徴とする。
また、前記開閉機構は、前記記録紙により覆われる位置に配設される前記吸引孔を開放し、前記記録紙により覆われない位置に配設される前記吸引孔を閉鎖することが好ましい。
また、前記開閉機構は、前記搬送部で前記記録紙が搬送されて前記吸引孔を前記記録紙により覆われたときに前記吸引孔を開放し、前記搬送部で前記記録紙が搬送されて前記吸引孔を前記記録紙により覆われなくなったとき、前記吸引孔を閉鎖することが好ましい。
また、前記開閉機構は、複数の前記吸引孔のうち、前記幅方向の一方側に配設された吸引孔を開放または閉鎖させる第１の開閉部と、複数の前記吸引孔のうち、前記搬送方向の一方側に配設された吸引孔を開放または閉鎖させる第２の開閉手段と、を備えることが好ましい。
また、前記記録紙の前記幅方向の寸法を検出する紙幅検出部を有し、前記第１の開閉部は、前記紙幅検出部による検出結果に基づいて、前記吸引孔を開放または閉鎖させることが好ましい。
【図面の簡単な説明】
【００２９】
【図１】印刷装置の内部構造を示す構成説明図。
【図２】プラテンユニットの分解斜視図。
【図３】プラテンに開口される吸引孔の配置図。
【図４】プラテン機構部の分解斜視図。
【図５】吸引孔の開閉作用の一部を模式的に表す断面図。
【図６】記録紙の幅寸法に対応して吸引孔の開閉領域を決定するフローチャートであり、（ａ）はフロントフィード（正送り）の場合、（ｂ）はバックフィード（逆送り）の場合。
【図７】印字における正送り方向の記録紙搬送位置に対応して吸引孔の開閉領域を決定するフローチャート。
【図８】バックフィードにおける記録紙搬送位置に対応して吸引孔の開閉領域を決定するフローチャート。
【発明を実施するための形態】
【００３０】
以下、本発明の実施の形態について図面を参照して説明する。
なお、以下の説明で参照する図は、各部材を認識可能な大きさとするため、各部材ないし部分の縦横の縮尺は実際のものとは異なる模式図である。
（全体構成）
【００３１】
本実施形態において説明する印刷装置は、プラテンに記録紙を吸引するための吸引機構を有するロール紙プリンターを例示して説明する。
図１は、本実施の形態に係る印刷装置の内部を示す構成説明図である。印刷装置１は、主たる構成として印刷装置本体部と記録紙搬送部とを備えている。
【００３２】
印刷装置本体部には、液滴吐出ヘッド３と、この液滴吐出ヘッド３と対峙し、記録紙１５ａを挟んで配置されたプラテン２１と開閉機構部２０とを有するプラテンユニット２と、プラテン２１に開口された吸引孔から記録紙１５ａをプラテン表面に吸引するための吸引機構部５と、が備えられている。また、液滴吐出ヘッド３と連動し、記録紙１５ａの幅寸法を測定するＰＷ検出センサー１４を有している。液滴吐出ヘッド３は、本実施例ではインクジェットヘッドであって、周知のものを採用可能なため説明を省略する。
また、プラテンユニット２の各構成要素の詳細については、図２〜図５を参照して後述する。
【００３３】
次に、記録紙搬送部の構成について記録紙の搬送経路に沿って説明する。ロール紙１５は、ロール紙駆動軸１３にセットされる。ロール紙１５は、繰出しローラー７、ガイドローラー８、ＰＦ駆動機構部６を介して搬送され、記録紙排出口１１から排出される。
なお以降、ロール紙１５のプラテン２１上の印字領域を特に記録紙１５ａと表し説明する。
ロール紙駆動軸１３には、ロール紙軸駆動モーター（図示せず）が連結されており、ロール紙１５を巻き戻す（バックフィード：逆送り）際に駆動される。
【００３４】
ＰＦ駆動機構部６は、紙送りローラー９と、記録紙１５ａを紙送りローラー９に圧接させる紙押えローラー１０と、紙送りローラー９を回転駆動するためのＰＦモーター（図示せず）と、を備えている。なお、ロール紙１５を巻き戻す際には、紙押えローラー１０は紙送りローラー９から切り離される。
【００３５】
ＰＦ駆動機構部６とロール紙駆動軸１３（または、両者の駆動用モーター）には、エンコーダー（図示せず）が配設されている。エンコーダーの検出値を用いて記録紙１５ａの搬送速度と搬送距離とを検出する。ＰＦ駆動機構部６側のエンコーダーでは正送り方向、ロール紙駆動軸１３側では逆送り方向の搬送速度と搬送距離を検出する。
【００３６】
ガイドローラー８と紙送りローラー９の間には、ロール紙ガイド１２が備えられている。ロール紙ガイド１２は、ロール紙１５の幅方向位置を規制するもので、ロール紙１５の幅寸法の大小に限らず、記録紙１５ａがプラテン２１の幅方向の略中央に配置されるように規制する機能を有する。
（プラテンユニットの構成）
【００３７】
続いて、プラテンユニット２の構成について説明する。
図２は、プラテンユニットの分解斜視図である。プラテンユニット２は、プラテン２１と開閉機構部２０を含むプラテン機構部４と、吸引機構部５と、開閉機構駆動部６０と、から構成されている。
【００３８】
プラテン機構部４は、図示最上面にプラテン２１が配置されている。そして、記録紙搬送方向（正送り）の元側（搬送開始側）には記録紙１５ａの印刷開始基準位置を検出する記録紙位置検出センサー１７がプラテン表面から露出するように配置されている。また、記録紙搬送方向の先端側には、記録紙先端位置を検出する記録紙先端位置検出部１８がプラテン表面から露出するように配置されている。
【００３９】
プラテン２１の裏面側には、記録紙搬送方向にＰＦシャッタープレート（図４、参照）をスライド駆動する第１カム群３０と、第１カム群３０に直交し、後述するＰＷシャッタープレート（図４、参照）を揺動駆動する第２カム群４０と、が配置されている。そして、ＰＦシャッタープレート及び第１カム群３０と、ＰＷシャッタープレート及び第２カム群４０とは、吸引機構部５の空間内（吸引室５１）に収納される。
【００４０】
吸引機構部５は、ケース５０の内部に吸引室５１と、吸引室５１内の空気を外部に排出する吸引ファン５２とが備えられている。ケース５０の上部周縁部には、記録紙位置検出センサー１７を収容するセンサー収容部５３と、記録紙先端位置検出部１８を収容するセンサー収容部５４と、が形成されている。そして、吸引機構部５の吸引室５１内には、開閉機構駆動部６０が配置されている。
【００４１】
開閉機構駆動部６０は、第１カム群３０を回転駆動するモーター６１と、第２カム群４０を回転駆動するモーター６２とを有する。
【００４２】
プラテン２１には、記録紙１５ａの搬送方向と搬送方向に直交する幅方向とに略マトリックス状に配置された複数の吸引孔が開口されている。これら吸引孔の配置について図３を参照して説明する。
図３は、プラテンに開口される吸引孔の配置図である。なお、図３はプラテンユニット２の全体を表している。プラテン２１は、プラテンベース２１ａとプラテン上板２１ｂとを積み重ねて固定しており、複数の吸引孔は、この両者を貫通して開口しているため、以降、両者を合わせてプラテン２１と表し説明する。
【００４３】
吸引孔は、記録紙搬送方向（正送り）に対して元側の吸引領域２２と、先端側の吸引領域２３とを有する。吸引領域２２は開閉動作をしない領域であって、記録紙１５ａが記録紙位置検出センサー１７による検出可能な上部位置に達するまでの吸引を行うために設けられている。また、吸引領域２３は、印字の際に吸引孔の開閉を制御する領域である。
【００４４】
吸引孔は、記録紙搬送方向に沿って、記録紙１５ａの中央部側に開口される第１吸引領域２４と、第１吸引領域の図示左側に開口される第２吸引領域２５と、図示右側に開口される第３吸引領域２６と、から構成される。なお、記録紙搬送方向に沿って配列される吸引孔の列を縦列とする。よって、図３に示すように、吸引孔の縦列は記録紙１５ａの幅方向に９列設けられている。
【００４５】
第１吸引領域２４には、吸引孔２４ａ〜２４ｎが開口されている。本実施例では、第１吸引領域２４は記録紙１５ａの最小幅の範囲を想定して配置されている。
【００４６】
第２吸引領域２５には、図示左端側から中央方向に向かってＡ１列、Ａ２列、Ａ３列の吸引孔を有し、Ａ１列には吸引孔２５ａ〜２５ｅが配置され、Ａ２列には吸引孔２５ｆ〜２５ｉが配置され、Ａ３列には吸引孔２５ｊ〜２５ｐが配置されている。
【００４７】
また、第３吸引領域２６には、図示右端側から中央方向に向かってＡ４列、Ａ５列、Ａ６列の吸引孔を有し、Ａ４列には吸引孔２６ｊ〜２６ｐが配置され、Ａ５列には吸引孔２６ｆ〜２６ｉ、Ａ６列には吸引孔２６ａ〜２６ｅが配置されている。
【００４８】
次に、横列の吸引孔の配置について説明する。吸引孔は、前述したように縦列で配列されると共に、横列にも配列されている。ここで、複数の吸引孔が記録紙１５ａの幅方向に配列されている集合を吸引孔の横列とすれば、本実施例では、横列が搬送方向にＢ１列〜Ｂ５列と、Ｃ１列〜Ｃ４列とが交互に９列で配置されている。
【００４９】
横列の吸引孔の配置は、Ｂ１列には吸引孔２５ａ，２５ｊ，２４ａ，２６ａ，２６ｊが配列され、Ｂ２列には吸引孔２５ｂ，２５ｋ，２４ｄ，２６ｂ，２６ｋが配列され、Ｂ３列には吸引孔２５ｃ，２５ｍ，２４ｇ，２６ｃ，２６ｍが配列され、Ｂ４列には吸引孔２５ｄ，２５ｎ，２４ｊ，２６ｄ，２６ｎが配列され、Ｂ５列には吸引孔２５ｅ，２５ｐ，２４ｎ，２６ｅ，２６ｐが配列されている。
【００５０】
一方、Ｃ１列には吸引孔２５ｆ，２４ｂ，２４ｃ，２６ｆが配列され、Ｃ２列には吸引孔２５ｇ，２４ｅ，２４ｆ，２６ｇが配列され、Ｃ３列には吸引孔２５ｈ，２４ｈ，２４ｉ，２６ｈが配列され、Ｃ４列には吸引孔２５ｉ，２４ｋ，２４ｍ，２６ｉが配列されている。
【００５１】
従って、吸引孔は図３に示すように、縦列と横列とでマトリックス状に配設されている。縦列の第２吸引領域２５（Ａ１列、Ａ２列、Ａ３列）及び第３吸引領域２６（Ａ４列、Ａ５列、Ａ６列）は、後述するＰＷシャッタープレート１０１〜１０６（図４、参照）によって気室（図５、参照）と連通または閉鎖される。
【００５２】
また、横列のＢ１列、Ｂ２列、Ｂ３列、Ｂ４列、Ｂ５列は、後述する第１層のＰＦシャッタープレート群７０によって開閉され、横列のＣ１列、Ｃ２列、Ｃ３列、Ｃ４列は第２層のＰＦシャッタープレート群８０によって開閉される。
【００５３】
なお、記録紙１５ａの搬送方向のプラテン２１の元部には、ブラックマークセンサー１６が配置されている。ブラックマークセンサー１６は、例えば、帯状の台紙と、この台紙にラベル等が貼着されているロール紙の場合に、ラベルの印刷位置を示すブラックマークを検出する。このブラックマークセンサー１６は、吸引機構部５とプラテンユニット２とを装着する際、センサー収容部５５内に収容される（図２、参照）。
【００５４】
続いて、開閉機構部２０について図４を参照して説明する。
図４は、開閉機構部の分解斜視図である。開閉機構部２０は、プラテン２１の下層側に第１層のＰＦシャッタープレート群７０と、ＰＦシャッタープレート群７０の下層側に第２層のＰＦシャッタープレート群８０と、さらにその下層側にＰＷシャッタープレート群１００が配設されている。
【００５５】
プラテン２１は、プラテンベース２１ａと、プラテンベース２１ａの上面に固定されるプラテン上板２１ｂとから構成され、図３に図示した複数の吸引孔が両者を貫通するよう開口されている。
【００５６】
第１層のＰＦシャッタープレート群７０は、５個のＰＦシャッタープレートから構成され、記録紙搬送方向に対して直交するように、搬送方向元側からＰＦシャッタープレート７１，７２，７３，７４，７５が各々一定の間隔を有して平行に配置されている。そして、ＰＦシャッタープレート７１，７２，７３，７４，７５は、各々独立して記録紙搬送方向に対して直交する方向に進退可能である。
【００５７】
第２層のＰＦシャッタープレート群８０は、４個のＰＦシャッタープレートから構成され、記録紙搬送方向に対して直交するように、搬送方向元側からＰＦシャッタープレート８１，８２，８３，８４が各々一定の間隔を有して平行に配置されている。ＰＦシャッタープレート８１，８２，８３，８４は各々、第１層のＰＦシャッタープレート７１，７２，７３，７４，７５の間に挿入され、記録紙搬送方向に対して直交する方向に進退可能である。
【００５８】
第１層のＰＦシャッタープレート群７０と、第２層のＰＦシャッタープレート群８０の吸引孔の開閉の役割について図３も参照して説明する。
本実施例では、ＰＦシャッタープレート７１はＢ１列の吸引孔の開閉を、ＰＦシャッタープレート７２はＢ２列の吸引孔の開閉を、ＰＦシャッタープレート７３はＢ３列の吸引孔の開閉を、ＰＦシャッタープレート７４はＢ４列の吸引孔の開閉を、ＰＦシャッタープレート７５はＢ５列の吸引孔の開閉を、行う。
【００５９】
また、本実施例では、ＰＦシャッタープレート８１はＣ１列の吸引孔の開閉を、ＰＦシャッタープレート８２はＣ２列の吸引孔の開閉を、ＰＦシャッタープレート８３はＣ３列の吸引孔の開閉を、ＰＦシャッタープレート８４はＣ４列の吸引孔の開閉を、行う。
【００６０】
第１層のＰＦシャッタープレート群７０と第２層のＰＦシャッタープレート群８０とは、９本の作動レバーからなる作動レバー群９０と第１カム群３０とによって駆動される。第１カム群３０は、開閉機構駆動部６０のモーター６２（図２、参照）に連結されるカム軸３１によって回転される。
【００６１】
第１カム群３０は、図示は省略するが９個のカムから構成され、ここではカム軸３１のモーター側端部からのカム各々をカム３０ａ〜３０ｉとする。例えば、カム３０ａは作動レバー９１ａによってＰＦシャッタープレート７１を、カム３０ｂは作動レバー９１ｂによってＰＦシャッタープレート８１を、カム３０ｃは作動レバー９１ｃによってＰＦシャッタープレート７２を、カム３０ｄは作動レバー９１ｄによってＰＦシャッタープレート８２を、カム３０ｅは作動レバー９１ｅによってＰＦシャッタープレート７３を、カム３０ｆは作動レバー９１ｆによってＰＦシャッタープレート８３を、カム３０ｇは作動レバー９１ｇによってＰＦシャッタープレート７４を、カム３０ｈは作動レバー９１ｈによってＰＦシャッタープレート８４を、カム３０ｉは作動レバー９１ｉによってＰＦシャッタープレート７５を、記録紙１５ａの幅方向にスライド駆動し、記録紙搬送方向に順々に吸引孔を開閉する。
【００６２】
つまり、記録紙を正送りする場合には、交互に配置される第１層のＰＦシャッタープレート群７０と第２層のＰＦシャッタープレート群８０とによって、Ｂ１列からＣ１列、Ｂ２列、Ｃ２列……Ｂ５列というように横列の吸引孔を順番に開放し、記録紙を逆送りする場合には、Ｂ５列からＣ４列、Ｂ４列、Ｃ３列、Ｂ３列……Ｂ１列というように横列の吸引孔を順番に閉鎖する。
【００６３】
なお、カム３０ａ〜３０ｉは、上記の順番に横列の吸引孔を開放または閉鎖するために、記録紙搬送速度及び搬送距離に対応するように位相差が決定されている。
【００６４】
続いて、ＰＷシャッタープレート群１００の構成について図４を参照して説明する。なお、図３も参照する。ＰＷシャッタープレート群１００は、６個のＰＷシャッタープレートから構成され、ＰＷシャッタープレート１０１，１０２，１０３，１０４，１０５，１０６が各々平行に記録紙１５ａの幅方向に配置されている。そして、ＰＷシャッタープレート１０１，１０２，１０３，１０４，１０５，１０６は、各々独立してプラテン２１の表面に向かって揺動可能である。
【００６５】
ＰＷシャッタープレート１０１〜１０６の各々には、気室（図５、参照）を開閉する弁が挿着されている。ＰＷシャッタープレート１０１には弁１０１ａ、ＰＷシャッタープレート１０２には弁１０２ａ、ＰＷシャッタープレート１０３には弁１０３ａ、ＰＷシャッタープレート１０４には弁１０４ａ、ＰＷシャッタープレート１０５には弁１０５ａ、ＰＷシャッタープレート１０６には弁１０６ａ、が取付けられている。気室の開閉については、図５を参照して後述する。
【００６６】
ＰＷシャッタープレート群１００は、第２カム群４０によって駆動される。第２カム群４０は、開閉機構駆動部６０のモーター６１（図２、参照）に連結されるカム軸４１によって回転される。
【００６７】
第２カム群４０の一つ一つについては説明を省略するが、６個のカムから構成され、モーター６１側端部からカム４０ａ，４０ｂ，４０ｃ，４０ｄ，４０ｅ，４０ｄ，４０ｆとすると、カム４０ａはＰＷシャッタープレート１０１を、カム４０ｂはＰＷシャッタープレート１０２を、カム４０ｃはＰＷシャッタープレート１０３を、カム４０ｄはＰＷシャッタープレート１０４を、カム４０ｅはＰＷシャッタープレート１０５を、カム４０ｆはＰＷシャッタープレート１０６を、プラテン２１の方向に揺動する。
【００６８】
ここで、ＰＷシャッタープレート群１００の配置を整理する。ＰＷシャッタープレート１０１とＰＷシャッタープレート１０６とは、記録紙１５ａの幅方向の両端側に配置されており、これらの幅方向内側にＰＷシャッタープレート１０２とＰＷシャッタープレート１０５とが配置され、さらに幅方向内側にＰＷシャッタープレート１０３とＰＷシャッタープレート１０４とが配置されている。
【００６９】
ＰＷシャッタープレート群１００は、第１層のＰＦシャッタープレート群７０と第２層のＰＦシャッタープレート群８０と協働して、吸引孔と気室と吸引室との通路の開閉を行い、ＰＷシャッタープレート群１００は、気室と吸引室の開閉を担当する。
【００７０】
続いて、図３を参照して、ＰＷシャッタープレート群１００による吸引孔の開閉領域について説明する。ＰＷシャッタープレート１０１はＡ４列の吸引孔の開閉を、ＰＷシャッタープレート１０６はＡ１列の吸引孔の開閉を行い、Ａ４列とＡ１列の開閉タイミングは同じである。
【００７１】
また、ＰＷシャッタープレート１０２はＡ５列の吸引孔の開閉を、ＰＷシャッタープレート１０５はＡ２列の吸引孔の開閉を行い、Ａ５列とＡ２列の開閉タイミングは同じである。
【００７２】
さらに、ＰＷシャッタープレート１０３はＡ６列の吸引孔の開閉を、ＰＷシャッタープレート１０４はＡ３列の吸引孔の開閉を行い、Ａ６列とＡ３列の開閉のタイミングは同じである。
従って、気室は、吸引孔のＡ１列、Ａ２列、Ａ３列、Ａ４列、Ａ５列、Ａ６列単位毎に設けられる。
【００７３】
次に、第１層のＰＦシャッタープレート群７０と第２層のＰＦシャッタープレート群８０及びＰＷシャッタープレート群１００による吸引孔の開閉について図面を参照して説明する。
図５は、吸引孔の開閉作用の一部を模式的に表す断面図である。なお、図５は、図３に示すＸ−Ｘ切断面（吸引孔のＢ１列）の模式図である。
【００７４】
図５において、記録紙１５ａを吸引する吸引孔を有するプラテン２１の下層部には、第１層のＰＦシャッタープレート７１と、ＰＦシャッタープレート７１の厚さ方向位置を支える第１遮蔽板部１１１と、第１遮蔽板部１１１の下層側に、第２層のＰＦシャッタープレート群８０と、ＰＦシャッタープレート群８０の厚さ方向位置を第１遮蔽板部１１１とで支える第２遮蔽板部１１２と、が配設されている。さらに、第２遮蔽板部１１２の下層側に第３遮蔽板部１１３が設けられている。第１遮蔽板部１１１、第２遮蔽板部１１２及び第３遮蔽板部１１３は、シャッターホルダー１１０に固定されるか、一体で成形されている。
【００７５】
第２遮蔽板部１１２と第３遮蔽板部１１３との間には、７つに区画された気室１２１，１２２，１２３，１２４，１２５，１２６，１２７が設けられている。また、第１遮蔽板部１１１と第２遮蔽板部１１２には共に、プラテン２１に開口される吸引孔毎に連通する通路（貫通孔）が開口されている。
【００７６】
気室１２６はＡ１列の全吸引孔に、気室１２５はＡ２列の全吸引孔に、気室１２４はＡ３列の全吸引孔に、気室１２７は第１吸引領域２４の全吸引孔に連通する。さらに、気室１２３はＡ６列の全吸引孔に、気室１２２はＡ５列の全吸引孔に、気室１２１はＡ４列の全吸引孔に連通する。
【００７７】
気室１２１〜１２６と吸引室５１とを連通する貫通孔には、弁１０１ａ〜１０６ａが挿着されている。具体的には、気室１２１には弁１０１ａ、気室１２２には弁１０２ａ、気室１２３には弁１０３ａ、気室１２４には弁１０４ａ、気室１２５には弁１０５ａ、気室１２６には弁１０６ａが配置されている。
【００７８】
前述したように、各弁はＰＷシャッタープレートの揺動によって上下され、各気室と吸引室の間の通路の開閉を行う。
なお、気室１２７には弁は配置されていない。よって、気室１２７と第１吸引領域２４に配置される各吸引孔の開閉は、第１層のＰＦシャッタープレート群７０及び第２層のＰＦシャッタープレート群８０によって制御される。
【００７９】
図５に示す状態では、横列のＢ１列と、縦列のＡ３列及びＡ６列を開放している状態を表していることから、吸引孔２６ａ，２４ａ，２５ｊが吸引室５１と連通し、記録紙１５ａを吸引可能な状態としている。ＰＦシャッタープレート７１を矢印ａ方向にスライドすれば、Ｂ１列の吸引孔は閉鎖される。
【００８０】
このように、第１層のＰＦシャッタープレート群７０及び第２層のＰＦシャッタープレート群８０では、記録紙１５ａの搬送方向先端位置に対応して横列の吸引孔の開閉を行い、ＰＷシャッタープレート群１００では、記録紙１５ａの幅に対応して縦列の吸引孔の開閉を行う。
（記録紙の吸引制御）
【００８１】
続いて、記録紙の吸引制御についてフローチャートを参照して説明する。なお、図１〜図４も参照する。
はじめに、記録紙１５ａへの印字開始前の吸引制御について説明する。
図６は、記録紙の幅寸法に対応して吸引孔の開閉領域を決定するフローチャートであり、図６（ａ）はフロントフィード（正送り）の場合、図６（ｂ）はバックフィード（逆送り）の場合を表している。
【００８２】
まず、フロントフィードの場合について説明する。はじめに、準備作業としてロール紙１５をロール紙駆動軸１３にセットする（ステップＳ１）。続いて、オートフィードにより記録紙１５ａをプラテン２１上面に達するまで搬送する（ステップＳ２）。
【００８３】
続いて、ＰＷ検出センサー１４によって、記録紙１５ａの幅を検出する（ステップＳ３）。ここでは、ＰＷ検出センサー１４を幅方向に移動させて記録紙１５ａの幅位置を検出し、幅寸法を算出する。
【００８４】
そして、幅寸法に対応して開放すべきＰＷシャッタープレートを選択する（ステップＳ４）。
例えば、記録紙１５ａの幅寸法が、第１吸引領域２４の範囲内にある場合には、第２吸引領域２５及び第３吸引領域２６の範囲のＰＷシャッタープレート１０１〜１０６の全て閉鎖することを選択する。なお、第１吸引領域２４の吸引孔の開閉は、ＰＦシャッタープレート群７０とＰＦシャッタープレート群８０とで制御する。
【００８５】
記録紙１５ａの幅寸法が、吸引孔の縦列のＡ２列とＡ３列の間、Ａ５列とＡ６列の間にある場合には、記録紙１５ａがＡ３列及びＡ６列を覆う状態にあるため、Ａ３列及びＡ６列の吸引孔を開放すべきＰＷシャッタープレートを選択する。本実施例では、ＰＷシャッタープレート１０３，１０４を選択する。
【００８６】
記録紙１５ａの幅寸法が、吸引孔の縦列のＡ１列とＡ２列の間、Ａ４列とＡ５列の間にある場合には、記録紙１５ａがＡ２列及びＡ３列、Ａ５列及びＡ６列を覆う状態にあるため、Ａ２列及びＡ３列と、Ａ５列及びＡ６列の吸引孔を開放すべきＰＷシャッタープレートとして選択する。本実施例では、ＰＷシャッタープレート１０２，１０３，１０４，１０５を選択する。
【００８７】
また、記録紙１５ａの幅寸法が、吸引孔の縦列のＡ１列及びＡ４列よりも外側にある場合（幅広の場合）には、記録紙１５ａが第１吸引領域２４、第２吸引領域２５及び第３吸引領域２６の全ての吸引孔を覆う状態にあるため、縦列のＡ１列〜Ａ６列の吸引孔を開放すべきＰＷシャッタープレートを選択する。本実施例では、ＰＷシャッタープレート１０１，１０２，１０３，１０４，１０５，１０６を選択する。
【００８８】
開放すべきＰＷシャッタープレートを選択した後、ＰＷシャッタープレート駆動用のモーター６１を作動する（ステップＳ５）。
【００８９】
そして、ＰＷシャッタープレート駆動用のモーター６１が規定量駆動したかを検出する（ステップＳ６）。つまり、選択されたＰＷシャッタープレートが、開放対象の吸引孔を開放する位置まで駆動したかを検出する。なお、駆動量の検出は、モーター６１に設けられているエンコーダー等によって行う。
【００９０】
規定量に達しない場合（ＮＯ）には、規定量に達するまでモーター６１を駆動し、規定量に達した場合（ＹＥＳ）には、ＰＷシャッタープレート駆動用のモーター６１を停止し（ステップＳ７）、一連の動作を終了する。
【００９１】
続いて、ＰＷシャッタープレートが所定の吸引孔の縦列を開放した後、印字開始位置までバックフィードする際の制御について図６（ｂ）を参照して説明する。
まず、図６（ａ）において説明したＰＷシャッタープレート駆動用のモーター６１を停止させた状態（ステップＳ７）におけるＰＷシャッタープレートの状態を確認する（ステップＳ１０）。つまり、印字する際のＰＷシャッタープレートの吸引孔開放状態を確認する。
【００９２】
ここで、ＰＷシャッタープレートの全てが吸引孔を閉鎖（全閉）の場合は、そのまま記録紙１５ａをバックフィードすればよい。このことは、第２吸引領域２５と第３吸引領域２６の吸引孔を全閉していることをさし、第１吸引領域２４の吸引孔を開放している状態である。よって、バックフィードの場合は、記録紙１５ａの幅の大小に関わらず、第１吸引領域２４の吸引孔を開放している。
【００９３】
ＰＷシャッタープレートの一部が開放状態にある場合には、ＰＷシャッタープレート駆動用のモーター６１を規定量駆動する（ステップＳ１１）。つまり、第２吸引領域２５と第３吸引領域２６の吸引孔を全閉にする状態にする。そして、モーター６１が規定量に達したことを確認した後、ＰＷシャッタープレート駆動用のモーター６１の駆動を停止する（ステップＳ１２）。
【００９４】
続いて、印字する場合の吸引制御についてフローチャートを参照して説明する。なお、図１〜図５も参照する。
図７は、印字における正送り方向の記録紙搬送位置に対応して吸引孔の開閉領域を決定するフローチャートである。まず、ロール紙１５をロール紙駆動軸１３にセットする（ステップＳ２０）。この際、ロール紙１５の幅寸法に応じてＰＷシャッタープレートの吸引孔開放領域は予め決定してあるものとする。ロール紙１５をセットした後、オートフィードをかけ、記録紙１５ａの先端位置を記録紙位置検出センサー１７によって検出する（ステップＳ２１）。
【００９５】
記録紙先端位置を検出した後、印字指令を出力して印字を開始する（ステップＳ２２）。印字指令に基づき、液滴吐出ヘッド３によって印字しつつ、紙送りローラー９駆動用のＰＦモーターを作動して記録紙１５ａを正送り方向に搬送する（ステップＳ２３）。
【００９６】
そして、記録紙１５ａの先端が横列の吸引孔を通過したことを検出する（ステップＳ２４）。記録紙１５ａが、横列の吸引孔を通過したことの検出は、吸引孔の開口位置及び開口径と、搬送距離を用いて算出する。吸引孔の開口位置は、記録紙位置検出センサー１７によって検出する記録紙先端位置と、開口位置の設計値（ピッチ等）と、から算出できる。記録紙１５ａの搬送距離は、紙送りローラー９またはＰＦモーターに配設されるエンコーダーによって決定される。
【００９７】
記録紙１５ａの先端が横列のある一列の吸引孔を通過したことを検出し、（ＹＥＳ）吸引孔が記録紙１５ａに全て覆われると、その横列の開閉を行うＰＦシャッタープレートを作動し、通過した吸引孔の列を開放する（ステップＳ２５）。
例えば、記録紙１５ａがＢ１列の吸引孔を通過したとすると、ＰＦシャッタープレート７１を作動して、吸引孔２５ａ，２５ｊ，２４ａ，２６ａ，２６ｊを開放する。なお、この際、ＰＷシャッタープレートによって開放されていない縦列の吸引孔は、開放対象ではない。そして、Ｂ１列以外の横列の吸引孔は閉鎖されたままである。記録紙１５ａをさらに搬送して、Ｃ１列を通過したことを検出すると、ＰＦシャッタープレート８１を作動してＣ１列の吸引孔２５ｆ，２４ｂ，２４ｃ，２６ｆを開放する。
【００９８】
同様に、記録紙１５ａが横列の吸引孔を通過するたびに、対象のＰＦシャッタープレートを作動して、その列の吸引孔を開放していく。
なお、ステップＳ２４の工程で、記録紙１５ａの先端が吸引孔を通過していないと判定したときには、横列の吸引孔を通過するまで記録紙１５ａの搬送を継続する。
【００９９】
そして、記録紙１５ａの先端が、横列のＢ２列、Ｃ２列、……Ｂ５列の吸引孔を通過したことを検出したことを検出する（ステップＳ２６）。つまり、ＰＦシャッタープレートの全てが、横列の吸引孔を開放したと判定したとき（ＹＥＳ）、ＰＦシャッタープレートの作動（モーター６２の作動）を停止する（ステップＳ２７）。なお、ＰＦシャッタープレートの一部がまだ横列の吸引孔を開放していない場合には（ＮＯ）、ステップＳ２４からステップＳ２７の状態になるまで繰り返す。
【０１００】
続いて、前述した最終ステップ（Ｓ２７）の状態から記録紙１５ａにバックフィード（逆送り）をかける場合の吸引制御についてフローチャートを参照して説明する。
図８は、バックフィードにおける記録紙搬送位置に対応して吸引孔の開閉領域を決定するフローチャートである。バックフィードの場合、まず、ロール紙軸駆動モーターを作動する（ステップＳ３０）。
【０１０１】
この際、記録紙１５ａの排出検出を行う（ステップＳ３１）。ここで、記録紙１５ａの排出が無いと判定した場合（ＹＥＳ）には、ロール紙軸駆動モーターの作動を継続しロール紙１５を逆送りさせる。そして、記録紙先端が横列の吸引孔を通過し始めたときに（ステップＳ３２）、対象のＰＦシャッタープレートを作動し、吸引孔を閉める（ステップＳ３３）。例えば、記録紙先端がＢ５列の吸引孔を通過し始めた場合、ＰＦシャッタープレート８４を作動して、Ｂ５列の吸引孔を閉鎖する。同様に、記録紙先端を逆送りするに従い、Ｃ４列、Ｂ４列……というようにＰＦシャッタープレートを作動して横列の吸引孔を順次閉鎖していく。
【０１０２】
そして、全ＰＦシャッタープレートにより横列の全吸引孔を閉めたかどうかを検出する（ステップＳ３４）。まだ締め切れない場合（ＮＯ）の場合には、ステップＳ３２〜ステップＳ３４を繰り返す。
【０１０３】
全ＰＦシャッタープレートにより横列の吸引孔を閉めたことを検出した場合（ＹＥＳ）には、次回印字開始位置を検出する（ステップＳ３５）まで記録紙１５ａを搬送し、ロール紙軸駆動モーターの作動を停止する（ステップＳ３６）。
【０１０４】
なお、ステップＳ３１において、記録紙排出検出で記録紙が有りの場合（ＮＯ）には、その記録紙搬送位置において、次回印字開始位置を検出する（ステップＳ４０）。検出位置が次回印字開始位置にある場合（ＹＥＳ）には、ロール紙軸駆動モーターの作動を停止する（ステップＳ４１）。
【０１０５】
ステップＳ４０において、検出位置が次回印字開始位置に無い場合（ＮＯ）には、記録紙１５ａの逆送りを継続し、記録紙１５ａが次回印字開始位置に達するまで繰り返す。
【０１０６】
以上説明した印刷装置１によれば、記録紙１５ａが吸引孔を覆っている領域において、吸引孔をＰＦシャッタープレート群７０、ＰＦシャッタープレート群８０及びＰＷシャッタープレート群１００によって開放してプラテン２１の表面に記録紙１５ａを吸引する。そして、記録紙１５ａが吸引孔を覆っていない領域（つまり、吸引孔が開口している領域）では、ＰＦシャッタープレート群７０、ＰＦシャッタープレート群８０及びＰＷシャッタープレート群１００によって吸引孔を閉鎖することで記録紙１５ａに対し、吸引圧を発生させない。
【０１０７】
このようにすることで、吸引圧の損失を抑制し、十分な吸引圧が得られることから、例えば、幅が狭い記録紙または、こしが強い記録紙を用いる場合にも、記録紙が浮くことでプラテンギャップが変動することに起因する印刷品質の劣化や、液滴吐出ヘッドに記録紙が擦れて発生するインク汚れを防止することができる。
【０１０８】
また、吸引孔の開閉は、ＰＦシャッタープレート群７０、ＰＦシャッタープレート群８０及びＰＷシャッタープレート群１００によって行い、吸引孔からの記録紙１５ａの吸引は一つの吸引機構部５で行うことができることから、特許文献２のように複数の吸引手段や、吸引手段毎にデューティを切り換えることも必要なく、構造面および制御面でも簡素化することが可能となる。
【０１０９】
さらに、印字領域は記録紙１５ａが吸引されている範囲内にあって、印字領域の直近の記録紙が覆っていない吸引孔からは吸引圧を発生させない、液滴の飛行曲がりを低減し、印刷品質を確保することができるという効果がある。このことは、記録紙１５ａの幅方向の余白余裕を小さくすることができるという効果もある。
【０１１０】
また、ＰＷシャッタープレート群１００では、記録紙１５ａの幅寸法に対応して開閉する縦列の吸引孔を選択することにより、例えば、幅が狭い記録紙を用いる場合には第１吸引領域２４またはその両側のＡ３列及びＡ６列の吸引孔を解放をし、幅が広い記録紙を用いる場合には、全部の縦列の吸引孔を吸引することで、記録紙１５ａの幅に応じて吸引することができる。
【０１１１】
また、ＰＦシャッタープレート群７０及びＰＦシャッタープレート群８０では、記録紙１５ａの搬送（正送りと逆送りを含む）位置に応じて、記録紙１５ａによって覆われた横列の吸引孔を開放して記録紙１５ａを吸引することができる。
【０１１２】
また、ＰＷシャッタープレート群１００は各々、縦列の吸引孔毎に設けられる気室１２１〜１２６と吸引室５１とを区画する第３遮蔽板部の開閉を行う弁１０１ａ〜１０６ａを有している。このようにすることによって、記録紙の幅方向で縦列の吸引領域の制御を効率的に行うことができる。
【０１１３】
また、第１層のＰＦシャッタープレート群７０と第２層のＰＦシャッタープレート群８０とを断面方向に異なる位置の２層とし、第１層のＰＦシャッタープレート群７０と第２層のＰＦシャッタープレート群８０の一つ一つのＰＦシャッタープレートを交互に配置することにより、吸引孔の横列間のピッチが小さい場合であっても、作動性を確保しつつ、吸引に必要な孔径とＰＦシャッタープレートの剛性を確保することができる。
【０１１４】
また、記録紙１５ａをプラテン２１の上面に搬送したときに記録紙１５ａの幅寸法をＰＷ検出センサー１４によって測定し、この幅寸法に合わせて縦列の吸引孔の開閉を決定するため、記録紙の幅が変更になっても、容易に幅方向（縦列）の吸引領域を決定できる。
【０１１５】
また、ＰＦシャッタープレートによる横列の吸引孔の開閉領域は、記録紙１５ａの搬送速度及び搬送距離と、吸引孔の搬送方向のピッチと、を用いて算出し、記録紙１５ａの先端が吸引孔を覆う位置で開放し、記録紙１５ａの先端が吸引孔を通過した位置で閉鎖する。よって、記録紙１５ａの先端の吸引孔に対する位置を正確に決定することができ、吸引孔の開閉を適切なタイミングで行うことができる。また、記録紙１５ａの搬送途中の先端位置を検出するセンサー等の検出手段も必要ない。
【０１１６】
また、ＰＦシャッタープレート群７０，８０による横列の吸引孔の開閉領域は、前記記録紙の搬送速度、搬送距離と、吸引孔の搬送方向のピッチと、を用いて算出し、記録紙１５ａ先端が吸引孔を覆う位置で開放し、記録紙１５ａ先端が吸引孔を通過し始める位置で閉鎖する。このようにすれば、記録紙１５ａの吸引孔に対する位置を正確に決定することができ、吸引孔の開閉を適切なタイミングで行うことができる。また、記録紙１５ａの搬送途中の先端位置を検出するセンサー等の検出手段も必要ない。
【０１１７】
さらに、ＰＦシャッタープレート群７０，８０のＰＦシャッタープレートの一つ一つを、記録紙１５ａの搬送速度と横列の吸引孔の開閉タイミングとに同期した位相を有する第１カム群３０によって駆動する。搬送速度とカム群の駆動とは、それぞれの駆動用モーターを用いた場合に速度制御が容易に行える。よって、第１カム群３０の位相も構造的に固定できるため、吸引孔の開閉タイミングを高精度に制御することができるという効果がある。
【符号の説明】
【０１１８】
１…印刷装置、２…プラテンユニット、３…液滴吐出ヘッド、５…吸引機構部、１５ａ…記録紙、２０…開閉機構部、２１…プラテン、２４ａ〜２４ｎ…吸引孔、２５ａ〜２５ｐ…吸引孔、２６ａ〜２６ｐ…吸引孔、７０…第１層のＰＦシャッタープレート、８０…第２層のＰＦシャッタープレート、１００…ＰＷシャッタープレート。
【図１】
0005870542.tif 000002
【図２】
0005870542.tif 000003
【図３】
0005870542.tif 000004
【図４】
0005870542.tif 000005
【図５】
0005870542.tif 000006
【図６】
0005870542.tif 000007
【図７】
0005870542.tif 000008
【図８】
0005870542.tif 000009